(57)【要約】【課題】消費電流の変化から書き込み情報が漏洩することを防止する。【解決手段】磁気カードの搬送速度を一定速度に維持するためにモータを制御するタイミングを、磁気カードに情報を書き込むために磁気ヘッドに流す書き込み電流を制御するタイミングＭ０、Ｍ１に一致させることにより、書き込み電流を制御するタイミングＭ０、Ｍ１でノイズを発生させながら磁気ヘッドによって磁気カードに情報を書き込む。これによって、発生したノイズを消費電流に重畳させて、消費電流の変化を複雑にする。また、既存のモータをノイズ発生手段として用いることで、特別な装置が不要となる。【選択図】    図６
2004258795.tif 000002
【特許請求の範囲】
【請求項１】
磁気記録媒体を搬送するモータと、
磁気記録媒体の搬送速度を一定速度に維持するために前記モータを所定周期で制御するモータ制御手段と、
前記モータによって搬送される磁気記録媒体に情報を書き込む磁気ヘッドと、
磁気記録媒体に情報を書き込むために前記磁気ヘッドに流す書き込み電流を所定周期で制御する書き込み電流制御手段と、を備えた磁気情報書き込み装置において、
前記モータ制御手段が前記モータを制御するタイミングを、前記書き込み電流制御手段が前記書き込み電流を制御するタイミングに一致させることにより、当該書き込み電流を制御するタイミングで前記モータ制御手段からノイズを発生させることを特徴とする磁気情報書き込み装置。
【請求項２】
請求項１に記載の磁気情報書き込み装置において、
前記モータ制御手段が前記モータを制御するタイミングを、前記書き込み電流制御手段がＦ２Ｆ記録方式の論理「１」の情報を書き込むために前記書き込み電流を制御するタイミングに一致させることにより、当該書き込み電流を制御するタイミングで前記モータ制御手段からノイズを発生させることを特徴とする磁気情報書き込み装置。
【請求項３】
磁気記録媒体を搬送するモータと、
磁気記録媒体の搬送速度を一定速度に維持するために前記モータを所定周期で制御するモータ制御手段と、
前記モータによって搬送される磁気記録媒体に情報を書き込む磁気ヘッドと、
磁気記録媒体に情報を書き込むために前記磁気ヘッドに流す書き込み電流を所定周期で制御する書き込み電流制御手段と、を備えた磁気情報書き込み装置において、
前記モータ制御手段が前記モータを制御する所定周期を、前記書き込み電流制御手段が前記書き込み電流を制御する所定周期よりも短くすることにより、前記書き込み電流制御手段が前記書き込み電流を制御するタイミングよりも細かいタイミングで前記モータ制御手段からノイズを発生させることを特徴とする磁気情報書き込み装置。
【請求項４】
モータによって磁気記録媒体を搬送しながら磁気ヘッドによって当該磁気記録媒体に情報を書き込む磁気情報書き込み方法であって、
磁気記録媒体の搬送速度を一定速度に維持するために前記モータを制御するタイミングを、磁気記録媒体に情報を書き込むために前記磁気ヘッドに流す書き込み電流を制御するタイミングに一致させることにより、当該書き込み電流を制御するタイミングでノイズを発生させながら前記磁気ヘッドによって磁気記録媒体に情報を書き込むことを特徴とする磁気情報書き込み方法。
【請求項５】
モータによって磁気記録媒体を搬送しながら磁気ヘッドによって当該磁気記録媒体に情報を書き込む磁気情報書き込み方法であって、
磁気記録媒体の搬送速度を一定速度に維持するために前記モータを制御する周期を、磁気記録媒体に情報を書き込むために前記磁気ヘッドに流す書き込み電流を制御する周期よりも短くすることにより、書き込み電流を制御するタイミングよりも細かいタイミングでノイズを発生させながら前記磁気ヘッドによって磁気記録媒体に情報を書き込むことを特徴とする磁気情報書き込み方法。
【発明の詳細な説明】
【０００１】
【発明の属する技術分野】
本発明は、磁気カードのような磁気記録媒体に対して情報を書き込む磁気情報書き込み装置および磁気情報書き込み方法に関し、特に、情報書き込み時の消費電流の変化から書き込み情報が漏洩することを防止するものである。
【０００２】
【従来の技術】
磁気カードのような磁気記録媒体に情報を書き込む磁気情報書き込み装置として、磁気カードリーダライタがある。一般に、磁気カードリーダライタは、磁気カードが挿入されると、これをカード搬送用のモータによって内部で搬送しながら、磁気ヘッドによって情報を書き込む。その際、磁気カードに書き込むための書き込み情報に応じた書き込み電流を磁気ヘッドに流し、それによって磁気カードの磁気ストライプの磁性体を所定間隔で磁化反転させて書き込み情報を磁気記録する。
【０００３】
一方、磁気カードには、鞄についている磁石やテレビ等に近づけても記録された磁気情報が変更されないように、磁気ストライプを高抗磁力の磁性材料で形成したものがある。このような高抗磁力型の磁気カードに情報を書き込む磁気カードリーダライタは、磁気ヘッドに約２００〜４００ｍＡという大きな書き込み電流を流すことで情報を書き込む。これに対して、低抗磁力型の磁気カードに情報を書き込むものは、磁気ヘッドに約２０〜３０ｍＡの小さな書き込み電流を流す。しかし、約２００〜４００ｍＡの大きな書き込み電流によって磁気カードに情報を書き込むと、磁気カードリーダライタ全体の消費電流の変化が大きくなって、下記のように消費電流の変化から書き込み情報が第三者に漏洩してしまうという問題が生じる。なお、磁気カードに情報を書き込むために磁気ヘッドに流す書き込み電流の大きさは、磁気ヘッドの特性に応じて大きかったり、小さかったりする。それでも、低抗磁力型の磁気カードに情報を書き込む場合に比べて、高抗磁力型の磁気カードに情報を書き込む場合の方が、磁気ヘッドに大きな書き込み電流を流さなければならない。
【０００４】
図１０および図１１は、上記の問題を説明するための図であって、図１０は情報処理装置に使用された磁気カードリーダライタを示し、図１１は磁気カードリーダライタにおける書き込み電流と消費電流の時間的変化を示している。図１０において、自動現金取引処理装置のような情報処理装置５０内に設置された磁気カードリーダライタ５１は、情報処理装置５０の電源ユニット５４からリード線Ｌ４を介して電流の供給を受けている。この磁気カードリーダライタ５１は、クレジットカードやキャッシュカードとして用いられている高抗磁力型の磁気カード５２に情報を書き込む際、書き込み情報を情報処理装置５０のコントロール部５３からリード線Ｌ３を介して受信する。図１１（ａ）に示す「１」と「０」は、このとき受信した書き込み情報である。
【０００５】
磁気カードリーダライタ５１は、受信した書き込み情報を、図１１（ｂ）に示すようにＦ２Ｆ（Ｔｗｏ  Ｆｒｅｑｕｅｎｃｙ  Ｃｏｈｅｒｅｎｔ  Ｐｈａｓｅ  Ｅｎｃｏｄｉｎｇ）記録方式で磁気カード５２の磁気ストライプ上に磁気記録するために、モータ（図示省略）によって磁気カード５２を内部で搬送しながら、磁気ヘッド（図示省略）に、図１１（ｃ）に示すようなパルス波形の書き込み電流（Ｉ＝約２００〜４００ｍＡ）を流して行く。その際、書き込み電流の極性（＋と−）が変わるたびに、図１１（ｄ）に示すように磁気カードリーダライタ５１全体で消費される消費電流が変動する。そのため、カードの情報を不正に取得しようとする第三者により、例えば図１０に示したリード線Ｌ４に電流計がつながれて、消費電流の変化が測定されると、消費電流の変化から、図１１（ｅ）に示すように消費電流の変動の間隔が狭いところは「１」、広いところは「０」というように、「１」と「０」の情報が読み取られ、磁気カード５２に書き込んだ書き込み情報が第三者に漏洩してしまうという問題が生じる。そしてさらに、漏洩した書き込み情報からクレジットカード番号や銀行口座番号といった磁気カード５２に固有の情報が復元されてしまうという問題が生じる。
【０００６】
ところで、下記の特許文献１には、ＩＣカード全体で消費される消費電流を変更する装置として積分器をＩＣカード内に取り付け、これによって消費電流の変動を消去して平均化することで、ＩＣカード内のメモリに書き込んだ情報を第三者が復元できないようにする技術が記載されている。しかし、このように消費電流の変動を消去して平均化することは、書き込み電流が約２００μＡと非常に小さく、消費電流の変動が微小であるＩＣカードであるからこそできるのであって、書き込み電流が約２００〜４００ｍＡと非常に大きく、消費電流の変動も大きい磁気カードリーダライタでは、消費電流の変動を消去して平均化することは非常に困難である。
【０００７】
【特許文献１】
特表２００２−５０８５４９号公報
【０００８】
【発明が解決しようとする課題】
本発明は、上記問題点を解決するものであって、その課題とするところは、消費電流の変化から書き込み情報が漏洩するのを防止することができる磁気情報書き込み装置および磁気情報書き込み方法を提供することにある。
【０００９】
【課題を解決するための手段】
本発明に係る磁気情報書き込み装置では、磁気記録媒体を搬送するモータと、磁気記録媒体の搬送速度を一定速度に維持するためにモータを所定周期で制御するモータ制御手段と、モータによって搬送される磁気記録媒体に情報を書き込む磁気ヘッドと、磁気記録媒体に情報を書き込むために磁気ヘッドに流す書き込み電流を所定周期で制御する書き込み電流制御手段とを備えた磁気情報書き込み装置において、モータ制御手段がモータを制御するタイミングを、書き込み電流制御手段が書き込み電流を制御するタイミングに一致させることにより、当該書き込み電流を制御するタイミングでモータ制御手段からノイズを発生させる。
【００１０】
また、本発明に係る磁気情報書き込み方法では、磁気記録媒体の搬送速度を一定速度に維持するためにモータを制御するタイミングを、磁気記録媒体に情報を書き込むために磁気ヘッドに流す書き込み電流を制御するタイミングに一致させることにより、当該書き込み電流を制御するタイミングでノイズを発生させながら磁気ヘッドによって磁気記録媒体に情報を書き込む。
【００１１】
このように、書き込み電流を制御する制御タイミングでノイズを発生させながら磁気記録媒体に情報を書き込むと、発生させたノイズが磁気情報書き込み装置全体で消費される消費電流に重畳して、消費電流の変化が複雑になるので、消費電流の変化から書き込み情報が漏洩するのを防止することができる。
【００１２】
また、本発明の他の実施形態に係る磁気情報書き込み装置では、モータ制御手段がモータを制御するタイミングを、書き込み電流制御手段がＦ２Ｆ記録方式の論理「１」の情報を書き込むために書き込み電流を制御するタイミングに一致させることにより、当該書き込み電流を制御するタイミングでモータ制御手段からノイズを発生させる。
【００１３】
このようにすると、消費電流の変化から論理「０」の情報が読み取れなくなり、書き込み情報が漏洩するのを一層確実に防止することができる。
【００１４】
また、本発明の他の実施形態に係る磁気情報書き込み装置では、モータ制御手段がモータを制御する所定周期を、書き込み電流制御手段が書き込み電流を制御する所定周期よりも短くすることにより、書き込み電流制御手段が書き込み電流を制御するタイミングよりも細かいタイミングでモータ制御手段からノイズを発生させる。
【００１５】
さらに、本発明の実施形態に係る磁気情報書き込み方法では、磁気記録媒体の搬送速度を一定速度に維持するためにモータを制御する周期を、磁気記録媒体に情報を書き込むために磁気ヘッドに流す書き込み電流を制御する周期よりも短くすることにより、書き込み電流を制御するタイミングよりも細かいタイミングでノイズを発生させながら磁気ヘッドによって磁気記録媒体に情報を書き込む。
【００１６】
このように、書き込み電流を制御するタイミングよりも細かいタイミングでノイズを発生させると、発生させたノイズが消費電流に細かい間隔で重畳して、消費電流の変化が一層複雑になるので、消費電流の変化から書き込み情報が漏洩するのをより確実に防止することができる。
【００１７】
【発明の実施の形態】
図１は、情報処理装置に使用された磁気カードリーダライタを示す図である。図１において、２０は自動現金取引処理装置のような情報処理装置、１は情報処理装置２０内に設置された磁気カードリーダライタ、２はクレジットカードやキャッシュカードとして用いられている高抗磁力型の磁気カードである。３はモータ１２（図３に図示）の駆動によって回転する上下１対のローラであって、挿入口１ａから磁気カードリーダライタ１内に挿入された磁気カード２をＦ方向またはＢ方向へ搬送する。４は搬送される磁気カード２の位置を検出するためのフォトセンサ（以下、センサと記す）である。５は本発明における磁気ヘッドであって、搬送される磁気カード２と接して情報の書き込みまたは読み取りを行う。２１は情報処理装置２０のコントロール部であって、磁気カードリーダライタ１に対して動作指示や磁気カード２に書き込むための書き込み情報を送信する。Ｌ１はコントロール部２１と磁気カードリーダライタ１とが相互に通信するための通信用リード線である。２２は情報処理装置２０の各部に電流を供給する電源ユニット、２３は電源ユニット２２を外部のＡＣコンセントに接続するための電源プラグである。Ｌ２は電源ユニット２２から磁気カードリーダライタ１に電流を供給するための電源用リード線である。以上において、磁気カードリーダライタ１は、本発明における磁気情報書き込み装置を構成し、磁気カード２は本発明における磁気記録媒体を構成する。
【００１８】
図２は、磁気カード２の外形と磁気ヘッド５の構造を示す図である。図２において、２ａは磁気カードリーダライタ１に挿入されるときの磁気カード２の先端部、２ｂは後端部である。２ｃは磁気カード２の磁気ヘッド５と接する面に設けられている磁気ストライプであって、高抗磁力の磁性材料から形成されている。Ｔ１〜Ｔ３は磁気ストライプ２ｃに設けられた３つのトラックＴ１〜Ｔ３である。一方、磁気ヘッド５には、磁気ストライプ２ｃの３つのトラックＴ１〜Ｔ３にそれぞれ接するように３つのコア５ａ〜５ｃが設けられている。磁気カード２に情報を書き込む際、書き込む情報に応じて各コア５ａ〜５ｃに巻き付けられているコイル（図示省略）に約２００〜４００ｍＡの大きな書き込み電流をそれぞれ流すと、３つのトラックＴ１〜Ｔ３に同時に異なる情報が書き込める。また、磁気カード２から情報を読み取る際、各トラックＴ１〜Ｔ３の磁力の変化を３つのコア５ａ〜５ｃよってそれぞれ検知すると、３つのトラックＴ１〜Ｔ３から同時に情報が読み取れる。なお、磁気ヘッド５は、１つのコアにより１つのトラックに対して情報の書き込みまたは読み取りを行うことができ、また、２つのコアによって２つのトラックに対して同時に情報の書き込みまたは読み取りを行うこともできる。
【００１９】
図３は、磁気カードリーダライタ１の電気的構成を示すブロック図である。図３において、６は磁気カードリーダライタ１の各部を制御するＣＰＵ、７はＲＯＭやＲＡＭ、およびＥＥＰＲＯＭからなるメモリ、８は情報処理装置２０のコントロール部２１（図１）と相互に通信するための通信部である。コントロール部２１から送信される動作指示や磁気カード２に書き込むための書き込み情報は、この通信部８が受信する。通信部８が書き込み情報を受信すると、ＣＰＵ６は、その書き込み情報が磁気カード２のどのトラックＴ１〜Ｔ３に書き込む情報であるかを判断する。詳しくは、コントロール部２１が書き込み情報に書き込み対象のトラックを指定するトラック情報を付与して送信するので、そのトラック情報に基づいて書き込み情報がどのトラックに書き込む情報であるかを判断する。
【００２０】
９は書き込み制御部であって、磁気カード２に情報を書き込む際に、書き込む情報に応じて磁気ヘッド５のコア５ａ〜５ｃ（図２）に流す書き込み電流を後述する所定周期で制御する。本実施形態では、磁気カード２に対する情報の書き込みは、Ｆ２Ｆ（Ｔｗｏ  Ｆｒｅｑｕｅｎｃｙ  Ｃｏｈｅｒｅｎｔ  Ｐｈａｓｅ  Ｅｎｃｏｄｉｎｇ）記録方式で行う。なおこの方式は、ＦＭ（Ｆｒｅｑｕｅｎｃｙ  Ｍｏｄｕｌａｔｉｏｎ）記録方式と呼ばれることもある。ＣＰＵ６は、この書き込み制御部９によって磁気ヘッド５を制御し、書き込み情報を磁気カード２のトラックＴ１〜Ｔ３に書き込む。書き込み制御部９は、本発明における書き込み電流制御手段を構成する。１０は読み取り制御部であって、磁気カード２から情報を読み取る際に、磁気ヘッド５のコア５ａ〜５ｃによって検知したトラックＴ１〜Ｔ３の磁化の変化から情報を生成する。ＣＰＵ６は、この読み取り制御部１０によって磁気ヘッド５を制御し、磁気カード２のトラックＴ１〜Ｔ３から情報を読み取る。そして、読み取った情報を通信部８によって情報処理装置２０に送信する。
【００２１】
１２は本発明におけるモータであって、ＤＣモータからなる。１１はモータ制御部であって、モータ１２の回転方向や回転数を制御する。ＣＰＵ６は、このモータ制御部１１によってモータ１２を正転駆動または逆転駆動し、前述のローラ３（図１）を回転させて磁気カード２をＦ方向またはＢ方向へ搬送させる。また、ＣＰＵ６は、磁気カード２に情報を書き込む際、モータ制御部１１によってモータ１２を正転駆動し、ローラ３を回転させて磁気カード２をＦ方向へ搬送させるが、そのとき、磁気カード２の搬送速度を一定速度に維持するようにモータ制御部１１に指示する。この指示を受けたモータ制御部１１は、磁気カード２の搬送速度を一定速度に維持するために、後述するようにモータ１２を後述する所定周期で制御する。モータ制御部１１は、本発明におけるモータ制御手段を構成する。１３はモータ１２の回転軸に連結されたロータリーエンコーダ（以下、エンコーダと記す）である。モータ制御部１１は、このエンコーダ１３の出力に基づいてモータ１２の回転数を検出し、モータ１２の回転数（すなわち磁気カード２の搬送速度）を制御する。
【００２２】
１４はカード位置検出部であって、前述のセンサ４（図１）の切り替り信号によって磁気カード２の位置を検出する。また、カード位置検出部１４は、図１に示した複数のローラ３のうち最もＢ方向側にあるローラ３の近傍に設けられた図示しないセンサの切り替り信号によって磁気カード２が磁気カードリーダライタ１に挿入されたことを検出する。１５は電源部であって、前述の電源用リード線Ｌ２（図１）を介して情報処理装置２０の電源ユニット２２（図１）から供給された電流を磁気カードリーダライタ１の各部に送る。
【００２３】
図４は、モータ制御部１１の具体的な構成を示す図である。図４において、１１ａはブリッジ回路であって、モータ１２と４つのトランジスタＴＲ１〜ＴＲ４を含んでいる。なお、ブリッジ回路１１ａにはこの他に、抵抗やコンデンサ等も含まれているが、図４では図示を省略している。１１ｂはスイッチ制御回路であって、４つのトランジスタＴＲ１〜ＴＲ４を所定周期でＯＮ状態とＯＦＦ状態とに切り替える切り替え制御をする。この構成において、スイッチ制御回路１１ｂがトランジスタＴＲ１、ＴＲ４をＯＮ状態にし、トランジスタＴＲ２、ＴＲ３をＯＦＦ状態にすると、ブリッジ回路１１ａおよびモータ１２に電流がＸ方向に流れる。また、スイッチ制御回路１１ｂがトランジスタＴＲ２、ＴＲ３をＯＮ状態にし、トランジスタＴＲ１、ＴＲ４をＯＦＦ状態にすると、ブリッジ回路１１ａおよびモータ１２に電流がＹ方向に流れる。このようにモータ１２に流れる電流の向きが切り替ると、モータ１２の回転方向や回転数が変わる。磁気カード２に情報を書き込む際、モータ制御部１１は、スイッチ制御回路１１ｂによってモータ１２に流す電流の向きを所定周期で切り替えることによりモータ１２の回転数を制御し、磁気カード２の搬送速度を一定速度に維持する。そのとき、モータ１２の回転数を制御する度に、ブリッジ回路１１ａ全体で消費される電流が変化してノイズが発生する。
【００２４】
図５は、磁気カードリーダライタ１の書き込み動作の手順を示すフローチャートであって、各処理はＣＰＵ６が実行する。図５において、磁気カードリーダライタ１に磁気カード２が挿入されると、ＣＰＵ６はモータ１２を駆動して磁気カード２を内部に取り込む。そして、磁気カード２を搬送しながら、読み取り制御部１０によって磁気ヘッド５を制御して磁気カード２の複数のトラックＴ１〜Ｔ３から情報を読み取る（ステップＳ１）。このとき、読み取った情報は通信部８によって情報処理装置２０のコントロール部２１に送られる。そして、通信部８がコントロール部２１から書き込み指示を受信すると（ステップＳ２：ＹＥＳ）、続けて、通信部８はコントロール部２１から書き込み情報を受信する（ステップＳ３）。
【００２５】
書き込み情報を受信すると、その書き込み情報が磁気カード２のどのトラックＴ１〜Ｔ３に書き込む情報であるかを判断した後、書き込み情報を書き込み制御部９に送り、磁気ヘッド５により当該情報を書き込み対象のトラックに書き込めるように準備する（ステップＳ４）。準備が完了すると、モータ１２の駆動を開始して（ステップＳ５）、磁気カード２を搬送する。そして、磁気カード２の搬送速度が所定の速度に達したことをエンコーダ１３の出力から確認すると（ステップＳ６：ＹＥＳ）、モータ制御部１１によってその所定の速度（一定速度）を維持するようにモータ１２を所定周期で制御しながら（ステップＳ７）、書き込み対象のトラックに書き込み情報を書き込む（ステップＳ８）。そして、書き込みが完了すると、モータ１２の駆動を停止し（ステップＳ９）、通信部８によってコントロール部２１に書き込みが完了したことを通知して処理を終了する。
【００２６】
図６は、磁気カード２の１つのトラックにのみ情報を書き込む場合における磁気カードリーダライタ１の書き込み電流とモータ１２の制御タイミングと消費電流の時間的変化を示す図である。図６において、磁気カード２への情報の書き込みはＦ２Ｆ記録方式により行われる。Ｆ２Ｆ記録方式では、一定周期ｔの区間内で磁気ストライプ２ｃ上に磁化反転が起こる場合を論理「１」、起こらない場合を論理「０」と定義する。ｔ１は書き込み制御部９が磁気ヘッド５に流す書き込み電流を制御する制御周期（本発明における書き込み電流を制御する所定周期）であって、一定周期ｔの半分に相当する。Ｍ０は一定周期ｔで書き込み制御部９が書き込み電流を制御するタイミングを示している。Ｍ１は論理「１」の情報を書き込むために書き込み制御部９が書き込み電流を制御するタイミングを示している。（ａ）の「１」と「０」は、書き込み対象の１つのトラックに書き込む書き込み情報示している。（ｂ）のパルス波形は、書き込み情報を書き込むために磁気ヘッド５に流す書き込み電流を示している。従来は、このような波形の書き込み電流を流すだけで書き込み対象の１つのトラックに情報の書き込みを行っていたため、（ｃ）に示すように磁気カードリーダライタ１全体で消費される消費電流が書き込み情報に対応して変化し、この消費電流の変化が第三者によって取得されると、（ａ）に示す書き込み情報が漏洩してしまう。
【００２７】
これに対して、図５で説明した手順では、モータ制御部１１によってモータ１２を所定周期で制御しながら書き込み対象の１つのトラックに書き込み情報を書き込む。（ｄ）のパルス波形は、モータ制御部１１がモータ１２を制御するタイミングを示している。この波形では、モータ制御部１１によるモータ１２の制御周期（本発明におけるモータを制御する所定周期）が書き込み制御部９による書き込み電流の制御周期ｔ１と同一であり、モータ１２を制御するタイミングが書き込み電流を制御するタイミングＭ０、Ｍ１と一致している。このため、タイミングＭ０、Ｍ１でモータ１２を制御すると、モータ制御部１１からノイズが（ｅ）に示すようにタイミングＭ０、Ｍ１で発生する。そして、（ｃ）に示した磁気カードリーダライタ１全体の消費電流に（ｅ）に示したノイズが重畳して、消費電流の変化が（ｆ）に示すように複雑になる。このため、消費電流の変化が第三者によって取得されても、消費電流の変化から書き込み情報が漏洩するのを防止することができる。そしてこの結果、書き込み情報からクレジットカード番号や銀行口座番号といった磁気カード２に固有の情報が解読されるという問題は生じなくなる。
【００２８】
また、特許文献１では、抵抗器と乱数信号ジェネレータとからなる装置をＩＣカード内に取り付け、乱数信号ジェネレータによって抵抗器に電流を流したり流さなかったりして乱数的に電流を消費することで、消費電流を変更してＩＣカード内のメモリに書き込んだ情報を第三者が復元できないようにしているが、このような乱数的に電流を消費する装置を磁気カードリーダライタに設けた場合、磁気カードに対する情報の書き込み時に、常に乱数的に電流が消費されて磁気カードリーダライタ全体の消費電流が大きくなる。磁気カードに情報を書き込んでいるときは、磁気ヘッドに流す書き込み電流やモータ等の他の部品に流す電流によって消費電流が非常に大きくなっているので、これに加えて上記のように消費電流が大きくなると、磁気カードリーダライタ全体が高温になり、熱によって磁気ヘッドのコアに巻き付けられているコイルが断線したり、磁気ヘッドに接している磁気カードが溶けてしまうおそれがある。しかるに、上記実施形態によれば、既存のモータ１２を制御するときに発生するノイズによって消費電流の変化を複雑にするので、特許文献１のように特別な装置を磁気カードリーダライタ１に設ける必要がなくなり、情報の書き込み時に、消費電流が増大して磁気カードリーダライタ１全体が高温になることはなく、熱によって磁気ヘッド５の各コア５ａ〜５ｃのコイルが断線したり、磁気ヘッド５に接する磁気カード２が溶けることもない。
【００２９】
図７および図８は、それぞれ本発明の他の実施形態を示す図であって、磁気カード２の１つのトラックにのみ情報を書き込む場合における磁気カードリーダライタ１の書き込み電流とモータ１２の制御タイミングと消費電流の時間的変化を示す図である。最初に、図７において、（ａ）は書き込み情報、（ｂ）は書き込み電流、（ｃ）は従来の書き込み時の消費電流である。これらについては、図６で説明したとおりである。（ｄ）のパルス波形はモータ制御部１１がモータ１２を制御するタイミングを示していて、この波形では、モータ１２の制御周期ｔ２が書き込み電流の制御周期ｔ１の２倍であり、モータ１２を制御するタイミングが論理「１」の情報を書き込むために書き込み電流を制御するタイミングＭ１と一致している。このため、タイミングＭ１でモータ１２を制御すると、モータ制御部１１からノイズが（ｅ）に示すようにタイミングＭ１で発生する。そして、（ｃ）に示した消費電流に（ｅ）に示したノイズが重畳して、消費電流の変化が（ｆ）に示すように複雑になる。このように消費電流の変化が複雑になると、消費電流の変化から論理「０」の情報が読み取れなくなり、書き込み情報が漏洩するのを一層確実に防止することができる。
【００３０】
次に、図８において、（ｄ）のモータ制御部１１がモータ１２を制御するタイミングを示す波形では、モータ１２の制御周期ｔ３が書き込み電流の制御周期ｔ１よりも短く、モータ１２を制御するタイミングが書き込み電流を制御するタイミングＭ０、Ｍ１よりも細かくなっている。このため、（ｄ）に示すような細かいタイミングでモータ１２を制御すると、モータ制御部１１からノイズが（ｅ）に示すように細かいタイミングで発生する。そして、（ｃ）に示した消費電流に（ｅ）に示したノイズが細かい間隔で重畳して、消費電流の変化が（ｆ）に示すように一層複雑になり、消費電流の変化から書き込み情報が漏洩するのをより確実に防止することができる。
【００３１】
以上述べた実施形態においては、磁気カード２の１つのトラックにのみ情報を書き込む場合を例に挙げているが、本発明はこれのみに限定するものではない。複数のトラックに同時に情報を書き込む場合に、モータ制御部１１からノイズを発生させても、消費電流の変化を複雑にすることができる。
【００３２】
また、上記実施形態では、磁気ストライプ２ｃに３つのトラックＴ１〜Ｔ３が設けられている磁気カード２に対して情報の書き込みを行う場合を例に挙げているが、本発明はこれのみに限定するものではなく、これ以外に、磁気ストライプに２つあるいは４つ以上のトラックが形成されている磁気カードや、磁気ストライプに１つのトラックしか形成されていない磁気カードでもよい。また、本発明における磁気記録媒体は、磁気カードに限らず、金融機関等で用いられる磁気記録部が付設された通帳や、鉄道等で用いられる磁気券のような磁気記録媒体であってもよい。
【００３３】
さらに、図６および図７の実施形態では、モータ１２を制御するタイミングを、書き込み電流を制御するタイミングＭ０、Ｍ１（図７ではタイミングＭ１のみ）に毎回一致するようにしているが、これらは、毎回一致するようにしなくてもよい。図９は、この場合の実施形態を説明する図である。図９において、（ａ）のモータ１２の制御タイミングを示す波形では、モータ１２の制御周期ｔ４が書き込み電流の制御周期ｔ１の３倍であり、モータ１２を制御するタイミングが２回おきにタイミングＭ０またはＭ１と一致している。この（ａ）に示すタイミングによると、（ｂ）に示すようにノイズが２回おきにタイミングＭ０またはＭ１で発生する。（ｃ）のモータ１２の制御タイミングを示す波形では、複数の制御周期ｔ５、ｔ６でモータ１２が制御されていて、その制御タイミングは複数の制御周期ｔ５、ｔ６に基づいてタイミングＭ０またはＭ１と一致している。この（ｃ）に示すタイミングによると、（ｄ）に示すようにノイズが複数の制御周期ｔ５、ｔ６に基づいて発生する。（ｅ）のモータ１２の制御タイミングを示す波形では、モータ１２の制御周期が所定の範囲で変化し、モータ１２を制御するタイミングがその変化する周期に基づいてタイミングＭ０またはＭ１と一致している。この（ｅ）に示すタイミングによると、（ｆ）に示すように変化する周期に基づいてノイズが発生する。（ｂ）、（ｄ）、（ｆ）に示すようにノイズを発生させると、これらが消費電流に重畳し、図６〜図８で説明したのと同様に、消費電流の変化を複雑にすることができる。
【００３４】
【発明の効果】
本発明によれば、情報の書き込み時に、既存のモータを制御することによってノイズを発生させることで、消費電流にノイズが重畳して消費電流の変化が複雑になるので、消費電流の変化から書き込み情報が漏洩するのを防止することができる。
【図面の簡単な説明】
【図１】情報処理装置に使用された磁気カードリーダライタを示す図である。
【図２】磁気カードの外形と磁気ヘッドの構造を示す図である。
【図３】磁気カードリーダライタの電気的構成を示すブロック図である。
【図４】モータ制御部の具体的な構成を示す図である。
【図５】磁気カードリーダライタの書き込み動作を示すフローチャートである。
【図６】書き込み電流とモータの制御タイミングと消費電流の時間的変化を示す図である。
【図７】他の実施形態を示す図である。
【図８】他の実施形態を示す図である。
【図９】他の実施形態を示す図である。
【図１０】従来例を示す図である。
【図１１】従来例の問題点を説明するための図である。
【符号の説明】
１    磁気カードリーダライタ
２    磁気カード
５    磁気ヘッド
９    書き込み制御部
１１  モータ制御部
１２  モータ
Ｍ０  書き込み電流の制御タイミング
Ｍ１  論理「１」の情報を書き込むための書き込み電流の制御タイミング
ｔ１  書き込み電流の制御周期
ｔ２〜ｔ６  モータの制御周期
【図１】
2004258795.tif 000003
【図２】
2004258795.tif 000004
【図３】
2004258795.tif 000005
【図４】
2004258795.tif 000006
【図５】
2004258795.tif 000007
【図６】
2004258795.tif 000008
【図７】
2004258795.tif 000009
【図８】
2004258795.tif 000010
【図９】
2004258795.tif 000011
【図１０】
2004258795.tif 000012
【図１１】
2004258795.tif 000013